(57)【要約】【課題】クリップが撓んでも機器本体が破損しにくい電気機器を提供する。【解決手段】デジタルカメラは、機器本体1にクリップ2を設けている。クリップ2の基端部と機器本体1の間には、緩衝部材4が取り付けられ、緩衝部材4はクリップ2に加わる荷重方向に沿って弾性変形可能である。機器本体1には支持部材3が取り付けられ、緩衝部材4と支持部材3との間には、ナット5が設けられる。クリップ2の外側から緩衝部材4を通って該ナット5にネジを螺合して、クリップ2が機器本体1に取り付けられる。【選択図】  図２
2006093373.tif 000002
【特許請求の範囲】
【請求項１】
機器本体(１)にクリップ(２)を設けた電気機器に於いて、
クリップ(２)の基端部と機器本体(１)の間には、緩衝部材(４)が取り付けられ、緩衝部材(４)はクリップ(２)に加わる荷重方向に沿って弾性変形可能であることを特徴とする電気機器。
【請求項２】
緩衝部材(４)に対向して、機器本体(１)上に支持部材(３)が取り付けられ、緩衝部材(４)と支持部材(３)との間には、ナット(５)が設けられ、クリップ(２)の外側から緩衝部材(４)を通って該ナット(５)にネジを螺合して、クリップ(２)が機器本体(１)に取り付けられる請求項１に記載の電気機器。
【請求項３】
支持部材(３)上にナット(５)を取り付け、該支持部材(３)に緩衝部材(４)を嵌める工程と、
支持部材(３)と緩衝部材(４)とを、機器本体(１)に取り付ける工程と、
クリップ(２)の外側から緩衝部材(４)を通って該ナット(５)にネジを螺合して、クリップ(２)を機器本体(１)に取り付ける工程を有するクリップの取付け方法。
【発明の詳細な説明】
【技術分野】
【０００１】
本発明は、ポケットに引掛かるクリップを有する電気機器及び該クリップの取付け方法に関し、具体的にはデジタルカメラに関する。
【背景技術】
【０００２】
洋服等のポケットに引掛かるクリップを有するデジタルカメラには、図５に示すものが開示されている(例えば、特許文献１参照)。
これは、機器本体(１)に、弾性変形可能なクリップ(２)の基端部(23)を取り付けている。クリップ(２)は、金属板を折曲して構成され、図６に示すように、機器本体(１)がポケット(７)に収納された状態で、クリップ(２)がポケット(７)の上端縁に引掛かる。クリップ(２)を引掛けるときには、図７に示すように、クリップ(２)を外向きに撓ませて、クリップ(２)と機器本体(１)の隙間を広くしてから、機器本体(１)をポケット(７)に挿入する。クリップ(２)は弾性復帰して、ポケット(７)の上端縁を挟む。
【０００３】
【特許文献１】特開平１１−２３７６８５号公報
【発明の開示】
【発明が解決しようとする課題】
【０００４】
図７に示すように、クリップ(２)を外向きに撓ませると、クリップ(２)の基端部(23)には、撓み荷重によるモーメントＭが加わる。この場合、喩え撓み荷重が機器本体(１)の規格内であっても、モーメントＭによる荷重が局所的に集中することによって、機器本体(１)を破損させる虞れがある。
本発明の目的は、クリップ(２)が撓んでも機器本体(１)が破損しにくい電気機器を提供することにある。
【課題を解決するための手段】
【０００５】
機器本体(１)にクリップ(２)を設けた電気機器に於いて、
クリップ(２)の基端部と機器本体(１)の間には、緩衝部材(４)が取り付けられ、緩衝部材(４)はクリップ(２)に加わる荷重方向に沿って弾性変形可能である。
【発明の効果】
【０００６】
クリップ(２)に荷重が加わると、クリップ(２)が撓み変形する。該撓み変形によってクリップ(２)の基端部に加わるモーメントを受けて緩衝部材(４)が弾性変形する。即ち、クリップ(２)を撓み変形させるモーメントによる荷重は、緩衝部材(４)によって緩和され、機器本体(１)には該緩和された荷重が印加される。これにより、クリップ(２)が撓んでも機器本体(１)が破損しにくくなる。
【発明を実施するための最良の形態】
【０００７】
以下、本発明の一例を図を用いて、詳述する。
図１は、本例に係わる電気機器、具体的にはデジタルカメラの斜視図であり、図２は、図１をＡ−Ａ線を含む面にて破断した断面図である。機器本体(１)の一端部には、金属板を折曲して構成されたクリップ(２)の基端部(23)が取り付けられている。クリップ(２)は使用者が指を掛ける掛かり板(20)と、該掛かり板(20)に直交して機器本体(１)の側面に対向した取付け板(21)を一体に具え、略Ｌ字形を呈している。
図２に示すように、機器本体(１)の側面には、支持部材(３)が取り付けられ、該支持部材(３)とクリップ(２)の取付け板(21)との間には、金属板を折曲して構成された緩衝部材(４)が設けられている。緩衝部材(４)は断面がＵ字形を呈し、開口(43)を下側に向けて支持部材(３)に取り付けられている。即ち、緩衝部材(４)はクリップ(２)に加わる荷重方向に沿って弾性変形可能である。
緩衝部材(４)と支持部材(３)との間には、ナット(５)が挿入され、クリップ(２)の外側から、クリップ(２)及び緩衝部材(４)を通ってナット(５)に大ネジ(60)を螺合して、クリップ(２)を機器本体(１)に取り付けている。
【０００８】
図３は、緩衝部材(４)と支持部材(３)の分解斜視図である。緩衝部材(４)は、前縦板(40)と後縦板(41)と繋ぎ板(42)にて接続して、前記の如く下面が開口(43)している。前縦板(40)の両側部には、第１ネジ貫通孔(44)(44)が開設され、後縦板(41)には３つの第２ネジ貫通孔(45)(45)(45)が開設されている。尚、第２ネジ貫通孔(45)の数は３つに限定されない。前縦板(40)上にて、第２ネジ貫通孔(45)(45)(45)に対向する箇所には、切欠き(46)が形成され、第２ネジ貫通孔(45)の前方からネジが挿入されることを許す。
【０００９】
支持部材(３)の長手方向に沿う中央部には、第２ネジ貫通孔(45)(45)(45)に重なる第３ネジ貫通孔(31)(31)(31)が開設されている。支持部材(３)上にて、第３ネジ貫通孔(31)(31)(31)の両側には、受け壁(30)が設けられ、該受け壁(30)の内側にナット(５)が挿入される。ナット(５)が挿入されるべき箇所には、ナット(５)と同じく六角形を呈した目印孔(32)が開設されている。目印孔(32)の近傍には、位置決め孔(33)が開設され、該位置決め孔(33)は機器本体(１)の側面から突出した突起(11)に嵌まる。
機器本体(１)の側面には、第２、第３ネジ貫通孔(45)(31)を通ったネジが螺合するネジ孔(10)が開設されている。
【００１０】
(支持部材と緩衝部材の取付け)
以下に、支持部材(３)と緩衝部材(４)を、機器本体(１)の側面に取り付ける手順を示す。
先ず、図３に示すように、支持部材(３)の受け壁(30)の内側に、目印孔(32)を目印としてナット(５)を置く。ナット(５)は両面テープ等で支持部材(３)に仮止めされてもよい。次に、緩衝部材(４)の開口(43)を下に向けて、緩衝部材(４)を支持部材(３)の上方から嵌める。緩衝部材(４)の前縦板(40)と後縦板(41)によって、支持部材(３)が挟まれ、第２ネジ貫通孔(45)(45)(45)と第３ネジ貫通孔(31)(31)(31)が重なる。前縦板(40)と支持部材(３)はナット(５)を挟んで対向する。
この状態で、支持部材(３)と緩衝部材(４)を機器本体(１)の側面に対向させ、位置決め孔(33)を突起(11)に嵌める。小ネジ(６)(６)(６)(図４参照)を第２ネジ貫通孔(45)(45)(45)と第３ネジ貫通孔(31)(31)(31)を通って、機器本体(１)のネジ孔(10)(10)(10)に螺合させて、図４に示すように、支持部材(３)と緩衝部材(４)を機器本体(１)の側面に取り付ける。
【００１１】
次に、図４に示すように、クリップ(２)の取付け板(21)を緩衝部材(４)に対向させる。取付け板(21)の両側部には、第４ネジ貫通孔(22)(22)が開設されており、大ネジ(60)(60)を第４ネジ貫通孔(22)(22)及び第１ネジ貫通孔(44)(44)を通って、ナット(５)に螺合させる。これにより、クリップ(２)が機器本体(１)に取り付けられる。
緩衝部材(４)は金属板から形成されているから、大ネジ(60)を緩衝部材(４)に直接螺合させると、大ネジ(60)の係り代が小さく、取付けが不安定となる。従って、大ネジ(60)をナット(５)に螺合させている。
【００１２】
(本例の効果)
図２に矢印Ｐで示すように、クリップ(２)に荷重が加わると、クリップ(２)が撓み変形する。該撓み変形によってクリップ(２)の基端部に加わるモーメントＭを受けて緩衝部材(４)が弾性変形する。即ち、クリップ(２)を撓み変形させるモーメントによる荷重は、緩衝部材(４)によって緩和され、機器本体(１)には該緩和された荷重が印加される。これにより、クリップ(２)が撓んでも機器本体(１)が破損しにくくなる。
本例では、電気機器としてデジタルカメラを示したが、携帯電話等であってもよい。
【００１３】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【００１４】
【図１】デジタルカメラの斜視図である。
【図２】図１をＡ−Ａ線を含む面にて破断した断面図である。
【図３】緩衝部材と支持部材の分解斜視図である。
【図４】クリップの取付け板を緩衝部材に取り付ける状態を示す斜視図である。
【図５】従来のデジタルカメラの斜視図である。
【図６】従来のデジタルカメラがポケットに収納された状態を示す斜視図である。
【図７】従来のクリップに荷重が加わった状態を示す図である。
【符号の説明】
【００１５】
(１)  機器本体
(２)  クリップ
(３)  支持部材
(４)  緩衝部材
(５)  ナット
【図１】
2006093373.tif 000003
【図２】
2006093373.tif 000004
【図３】
2006093373.tif 000005
【図４】
2006093373.tif 000006
【図５】
2006093373.tif 000007
【図６】
2006093373.tif 000008
【図７】
2006093373.tif 000009